(57)【特許請求の範囲】
【請求項１】
放送型ダウンロードと、通信型ダウンロードと、が可能な無線通信端末であって、記憶部と、第１の可変回路部と第２の可変回路部とを含む複数の可変回路部と、指示入力受付部と、選択部と、開始部と、を備え、
前記記憶部は、回路構成データと、パラメータと、を不揮発に記憶し、
前記複数の可変回路部は、それぞれ、前記記憶された回路構成データにより可変に電子回路を構成し、当該構成された電子回路が前記記憶されたパラメータを受け付けることにより、これらに対応付けられた通信方式に対応するディジタル信号処理を並行して行い、
前記第１の可変回路部は、前記記憶された回路構成データのうち放送型ダウンロードに用いる通信方式に対応するものにより構成され、前記記憶されたパラメータのうち放送型ダウンロードに用いる通信方式に対応するものを受け付け、
前記第２の可変回路部は、前記記憶された回路構成データのうち通信型ダウンロードに用いる通信方式に対応するものにより構成され、前記記憶されたパラメータのうち通信型ダウンロードに用いる通信方式に対応するものを受け付け、
前記指示入力受付部は、新たにパラメータのみ、もしくは、回路構成データおよびパラメータをダウンロードすべき通信方式の種類を指定する種類入力を受け付け、
前記受け付けられた種類入力に新たにパラメータのみをダウンロードすべき旨が指定されている場合、前記指示入力受付部は、放送型ダウンロードと通信型ダウンロードとのいずれを用いるべきかを指定するダウンロード型入力をさらに受け付け、
前記受け付けられた種類入力にパラメータのみをダウンロードすべき旨が指定され、前記受け付けられたダウンロード型入力に放送型ダウンロードを用いるべき旨が指定されている場合、前記第１の可変回路部は、第１の基地局から放送されるパラメータを無線受信によりダウンロードして、前記記憶部に不揮発に記憶し、
前記受け付けられた種類入力に新たに回路構成データおよびパラメータをダウンロードすべき旨が指定されている場合、前記第２の可変回路部は、無線通信により、当該回路構成データおよびパラメータを第２の基地局に要求しこれらをダウンロードして、前記記憶部に不揮発に記憶し、
前記受け付けられた種類入力にパラメータのみをダウンロードすべき旨が指定され、前記受け付けられたダウンロード型入力に通信型ダウンロードを用いるべき旨が指定されている場合、前記第２の可変回路部は、無線通信により、パラメータを前記第２の基地局に要求しこれをダウンロードして、前記記憶部に不揮発に記憶し、
前記指示入力受付部は、同時運用すべき複数の通信方式の種類を指定する同時運用入力をさらに受け付け、
前記選択部は、前記記憶部に記憶されたパラメータのうち、前記受け付けられた同時運用入力に指定された複数の通信方式の種類に対応するものを取得し、そのそれぞれについて、当該パラメータを与えれば当該通信方式の種類に対応するディジタル信号処理を行うことができる可変回路部を、前記複数の可変回路部のいずれかから重複なく選択し、
前記開始部は、前記取得されたパラメータをこれに対応して前記選択された可変回路部に与えて、前記複数の可変回路部のそれぞれに対して、そのディジタル信号処理を並行して開始させる
ことを特徴とする無線通信端末。
【請求項２】
請求項１に記載の無線通信端末であって、
当該放送型ダウンロードに用いる通信方式は、ＤＡＲＣ（DAta Radio Channel）方式によるＦＭ（Frequency Modulation）文字多重放送通信方式であり、
当該通信型ダウンロードに用いる通信方式は、ＤＳＲＣ（Dedicated Short Range Communications；狭域無線通信）方式である
ことを特徴とする無線通信端末。
【請求項３】
請求項１または２に記載の無線通信端末であって、
前記開始部により、前記第１の可変回路部において、放送型ダウンロードに用いる通信方式と異なる通信方式に対応するディジタル信号処理が開始され、その後に、放送型ダウンロードを用いてパラメータのみをダウンロードする場合、
前記第１の可変回路部は、前記記憶されたパラメータのうち放送型ダウンロードに用いる通信方式に対応するものを受け付けた後に、放送されるパラメータを無線受信によりダウンロードする
ことを特徴とする無線通信端末。
【請求項４】
請求項１または２に記載の無線通信端末であって、
前記開始部により、前記第２の可変回路部において、通信型ダウンロードに用いる通信方式と異なる通信方式に対応するディジタル信号処理が開始され、その後に、通信型ダウンロードを用いてパラメータのみ、もしくは、回路構成データおよびパラメータをダウンロードする場合、
前記第２の可変回路部は、前記記憶されたパラメータのうち放送型ダウンロードに用いる通信方式に対応するものを受け付けた後に、無線通信によりパラメータのみ、もしくは、回路構成データおよびパラメータを要求してダウンロードする
ことを特徴とする無線通信端末。
【請求項５】
請求項１から４のいずれか１項に記載の無線通信端末であって、
前記記憶されるパラメータは、それぞれの通信方式に対応して、
システムクロック周波数、
変調方式の種類を示すパラメータ、
波形整形フィルタの係数、
局部発信周波数、
データクロック周波数、
ループフィルタ係数、および、
復調の閾値レベル係数
のいずれか少なくとも１つを含むことを特徴とする無線通信端末。
【請求項６】
請求項１から４のいずれか１項に記載の無線通信端末であって、
前記複数の可変回路部は、当該パラメータを受け付けて、
ＢＰＳＫ（Binary Phase Shift Keying）、
ＱＰＳＫ（Quadrature Phase Shift Keying）、
ＧＭＳＫ（Gaussian filtered Minimum Shift Keying）、
ＡＳＫ（Amplitude Shift Keying）、および、
π／４ＱＰＳＫ
のいずれかの通信方式に対応するディジタル信号処理を行う
ことを特徴とする無線通信端末。
【請求項７】
請求項１から６のいずれか１項に記載の無線通信端末であって、
前記複数の可変回路部は、ＦＰＧＡ（Field Programmable Gate Array）および／またはＤＳＰ（Digital Signal Processor）により可変に電子回路を構成する
ことを特徴とする無線通信端末。
【請求項８】
請求項１から７のいずれか１項に記載の無線通信端末と、当該無線通信端末へ、当該パラメータを放送して提供する放送提供装置と、を備える放送提供システムであって、前記放送提供装置は、変換部と、放送部と、を備え、
前記変換部は、当該パラメータを、所定のフォーマットに変換し、
前記放送部は、前記変換された所定のフォーマットのパラメータを、無線により放送する
ことを特徴とする放送提供システム。
【請求項９】
請求項８に記載の放送提供システムであって、
前記放送部は、ＤＡＲＣ（DAta Radio Channel）方式を用いたＦＭ（Frequency Modulation）文字多重放送による無線により放送する
ことを特徴とする放送提供システム。
【請求項１０】
請求項９に記載の放送提供システムであって、
前記変換部は、
当該パラメータをビット列で表現し、
当該ビット列に終了識別データを付加し、
その結果のビット列長が２８８の倍数となるようにダミービットを必要なだけに付加し、
その結果を２８８ビットごとに区切った複数のデータブロックを構成し、
当該複数のデータブロックのそれぞれを、当該無線により放送するフォーマットにさらに変換する
ことを特徴とする放送提供システム。
【請求項１１】
請求項１０に記載の放送提供システムであって、
前記変換部は、
当該複数のデータブロックのそれぞれをさらに複数のサブデータブロックに分割し、
当該サブデータブロックのそれぞれに、識別符号データとヘッダデータとＣＲＣ（Cyclic Redundancy Check）データとを付加して４１２ビット長のパケットを構成し、
当該構成されたパケットのそれぞれを、当該無線により放送するフォーマットにさらに変換する
ことを特徴とする放送提供システム。
【請求項１２】
請求項１から７のいずれか１項に記載の無線通信端末と、当該無線通信端末へ、当該パラメータ、または、当該パラメータおよび回路構成データを通信して提供する通信提供装置と、を備える通信提供システムであって、当該通信提供システムは、変換部と、要求受付部と、送信部と、を備え、
前記変換部は、当該パラメータ、または、当該パラメータおよび回路構成データを、所定のフォーマットに変換し、
前記要求受付部は、当該無線通信端末から無線通信により要求を受け付け、
前記送信部は、前記受け付けられた要求に指定されたパラメータ、または、パラメータおよび回路構成データであって、前記所定のフォーマットに変換されたものを、無線通信により送信する
ことを特徴とする通信提供システム。
【請求項１３】
請求項１２に記載の通信提供システムであって、
前記送信部は、ＡＲＩＢ  ＳＴＤ−Ｔ７５により標準化されたＤＳＲＣ（Dedicated Short Range Communications）方式を用いた無線通信により送信する
ことを特徴とする通信提供システム。
【請求項１４】
請求項１３に記載の通信提供システムであって、
前記変換部は、
当該パラメータ、または、当該パラメータおよび回路構成データをビット列で表現し、
当該ビット列に終了識別データを付加し、
その結果のビット列長が６４０の倍数となるようにダミービットを必要なだけに付加し、
その結果を６４０ビットごとに区切った複数のデータブロックを構成し、
当該複数のデータブロックのそれぞれを、当該無線通信により送信するフォーマットにさらに変換する
ことを特徴とする通信提供システム。
【請求項１５】
請求項１４に記載の通信提供システムであって、
前記変換部は、
当該複数のデータブロックのそれぞれに対して、
プリアンブルデータと、ユニークワードと、モジュール識別データと、モジュール識別ワードと、パケット総数を示すデータと、パケットの番号と、ＣＲＣ（Cyclic Redundancy Check）データとを付加して８００ビット長のパケットを構成し、
当該構成されたパケットのそれぞれを、当該無線により放送するフォーマットにさらに変換する
ことを特徴とする通信提供システム。
【請求項１６】
放送型ダウンロードと、通信型ダウンロードと、のいずれかを行う無線通信方法であって、回路構成データと、パラメータと、を不揮発に記憶する記憶部と、前記記憶された回路構成データにより可変に電子回路を構成し、当該構成された電子回路が前記記憶されたパラメータを受け付けることにより、これらに対応付けられた通信方式に対応するディジタル信号処理を並行して行う可変回路部と、を用い、指示入力受付工程と、選択工程と、放送型ダウンロード工程と、通信型ダウンロード工程と、を備え、
前記指示入力受付工程では、新たにパラメータのみ、もしくは、回路構成データおよびパラメータをダウンロードすべき通信方式の種類を指定する種類入力を受け付け、
前記受け付けられた種類入力に新たにパラメータのみをダウンロードすべき旨が指定されている場合、前記指示入力受付工程では、放送型ダウンロードと通信型ダウンロードとのいずれを用いるべきかを指定するダウンロード型入力をさらに受け付け、
前記放送型ダウンロード工程では、前記受け付けられた種類入力にパラメータのみをダウンロードすべき旨が指定され、前記受け付けられたダウンロード型入力に放送型ダウンロードを用いるべき旨が指定されている場合、前記可変回路部が前記記憶された回路構成データのうち放送型ダウンロードに用いる通信方式に対応するものにより構成され、前記記憶されたパラメータのうち放送型ダウンロードに用いる通信方式に対応するものを受け付けていれば、前記可変回路部に、パラメータを無線受信によりダウンロードさせ、前記記憶部に不揮発に記憶させ、
前記通信型ダウンロード工程では、前記受け付けられた種類入力に新たに回路構成データおよびパラメータをダウンロードすべき旨が指定されている場合、前記可変回路部が、前記記憶された回路構成データのうち通信型ダウンロードに用いる通信方式に対応するものにより構成され、前記記憶されたパラメータのうち通信型ダウンロードに用いる通信方式に対応するものを受け付けていれば、前記可変回路部に、無線通信により、当該回路構成データおよびパラメータを要求させ、これらをダウンロードさせ、前記記憶部に不揮発に記憶させ、
前記通信型ダウンロード工程では、前記受け付けられた種類入力にパラメータのみをダウンロードすべき旨が指定され、前記受け付けられたダウンロード型入力に通信型ダウンロードを用いるべき旨が指定されている場合、前記可変回路部が、前記記憶された回路構成データのうち通信型ダウンロードに用いる通信方式に対応するものにより構成され、前記記憶されたパラメータのうち通信型ダウンロードに用いる通信方式に対応するものを受け付けていれば、前記可変回路部に、無線通信により、当該パラメータを要求させ、これをダウンロードさせ、前記記憶部に不揮発に記憶させる
ことを特徴とする方法。
【請求項１７】
請求項１６に記載の無線通信方法であって、
当該放送型ダウンロードに用いる通信方式は、ＤＡＲＣ（DAta Radio Channel）方式によるＦＭ（Frequency Modulation）文字多重放送通信方式であり、
当該通信型ダウンロードに用いる通信方式は、ＤＳＲＣ（Dedicated Short Range Communications；狭域無線通信）方式である
ことを特徴とする方法。
【請求項１８】
請求項１６または１７に記載の無線通信方法であって、
放送型ダウンロードを用いてパラメータのみをダウンロードする場合、前記可変回路部が前記記憶された回路構成データのうち放送型ダウンロードに用いる通信方式に対応するものにより構成されていなければ、当該対応する回路構成データにより電子回路を再構成させ、前記記憶されたパラメータのうち放送型ダウンロードに用いる通信方式に対応するものを受け付けていなければ、当該対応するパラメータを受け付けさせ、その後に、受け付けた後に、放送されるパラメータを無線受信によりダウンロードさせる
ことを特徴とする方法。
【請求項１９】
請求項１６または１７に記載の無線通信方法であって、
前記可変回路部において、通信型ダウンロードを用いてパラメータのみ、もしくは、回路構成データおよびパラメータをダウンロードする場合、前記可変回路部が前記記憶された回路構成データのうち通信型ダウンロードに用いる通信方式に対応するものにより構成されていなければ、当該対応する回路構成データにより電子回路を再構成させ、前記記憶されたパラメータのうち通信型ダウンロードに用いる通信方式に対応するものを受け付けていなければ、当該対応するパラメータを受け付けさせ、その後に、無線通信によりパラメータのみ、もしくは、回路構成データおよびパラメータを要求させてダウンロードさせる
ことを特徴とする方法。
【請求項２０】
請求項１６から１９のいずれか１項に記載の無線通信方法であって、
前記記憶されるパラメータは、それぞれの通信方式に対応して、
システムクロック周波数、
変調方式の種類を示すパラメータ、
波形整形フィルタの係数、
局部発信周波数、
データクロック周波数、
ループフィルタ係数、および、
復調の閾値レベル係数
のいずれか少なくとも１つを含むことを特徴とする方法。
【請求項２１】
請求項１６から１９のいずれか１項に記載の無線通信方法であって、
前記可変回路部は、当該パラメータを受け付けて、
ＢＰＳＫ（Binary Phase Shift Keying）、
ＱＰＳＫ（Quadrature Phase Shift Keying）、
ＧＭＳＫ（Gaussian filtered Minimum Shift Keying）、
ＡＳＫ（Amplitude Shift Keying）、および、
π／４ＱＰＳＫ
のいずれかの通信方式に対応するディジタル信号処理を行う
ことを特徴とする方法。
【請求項２２】
請求項１６から２１のいずれか１項に記載の無線通信方法であって、
前記可変回路部は、ＦＰＧＡ（Field Programmable Gate Array）および／またはＤＳＰ（Digital Signal Processor）により可変に電子回路を構成する
ことを特徴とする方法。
【請求項２３】
あらかじめ記憶された回路構成データにより可変に電子回路を構成し、当該構成された電子回路があらかじめ記憶されたパラメータを受け付けることにより、これらに対応付けられた通信方式に対応するディジタル信号処理を行う可変回路部を有するコンピュータを、
請求項１から１５のいずれか１項に記載の無線通信端末として機能させる
ことを特徴とするプログラム。
【請求項２４】
請求項１から７のいずれか１項に記載の無線通信端末と、請求項８から１１のいずれか１項に記載の放送提供システムの放送提供装置と、請求項１２から１４のいずれか１項に記載の通信提供システムの通信提供装置と、を有する放送通信提供システムであって、
前記無線通信端末は、前記放送提供システムに係る無線通信端末、および、前記通信提供システムに係る無線通信端末として機能する
ことを特徴とする放送通信提供システム。
【発明の詳細な説明】
【０００１】
【発明の属する技術分野】
本発明は、ＦＭ多重放送を利用したＶＩＣＳ（Vehicle Information and Communication System）回線や、ＤＳＲＣ回線等を用いてパラメータを受信し、当該パラメータを回路の再構成が可能なＦＰＧＡ等により実現されたディジタル信号処理電子回路に与えて、種々の通信方式を同時運用することを可能にするのに好適な無線通信端末、無線通信方法、ならびに、プログラムに関する。
【０００２】
【従来の技術】
従来から、移動体通信においては、ユーザの様々な要望に応じるために新たな通信方式が次々と導入されている。たとえば、自動車において利用できるような無線通信サービスには、ＡＭ（Amplitude Modulation）ラジオ、ＦＭラジオ放送、ＦＭ文字多重放送、ＧＰＳ（Global Positioning System）、ＶＩＣＳ、ＥＴＣ（Electronic Toll Collection）システムなど、種々のものがある。したがって、自動車が複数の無線機を塔載した総合情報端末となるものと考えられている。このため、無線通信技術は、ＩＴＳ（Intelligent Transport System；高度道路交通システム）を実現する上で、重要な役割を担っている。
【０００３】
一方、新しい通信方式が提案されるたびに新たな無線通信端末を購入・交換・増設するのでは、普及を図る上で問題が生じるため、一台でさまざまな通信方式に対応でき、将来の機能追加やシステムの変更にも対応できるような無線通信端末の技術が求められている。
【０００４】
発明者らは、これを実現する手法としてソフトウェア無線技術に着目している。ソフトウェア無線とは、機能構成や回路構成が後からも変更可能なディジタル信号処理ハードウェアを用いて無線通信端末を構成し、これに対して回路構成データや通信方式に関するパラメータを後から与えることによって、さまざまな通信方式に対応するディジタル信号処理を行って無線通信を行うものである。
【０００５】
【発明が解決しようとする課題】
さて、このような無線通信技術を実現する上で、たとえば、ＧＰＳを使いながらラジオを聞くなどのように、種々の通信方式を同時運用したいという要望は強い。
【０００６】
また、ディジタル信号処理ハードウェアの構成設定に要する時間はできるだけ短くし、ユーザの利便性を増したい、という要望もある。
【０００７】
さらに、種々の態様により、回路構成データや通信方式に関するパラメータの提供を受けたい、という要望もある。
【０００８】
本発明は、ＦＭ多重放送を利用したＶＩＣＳ回線や、ＤＳＲＣ回線等を用いてパラメータを受信し、当該パラメータを回路の再構成が可能なＦＰＧＡ等により実現されたディジタル信号処理電子回路に与えて、種々の通信方式を同時運用することを可能にするのに好適な無線通信端末、放送提供装置、通信提供装置、無線通信方法、放送提供方法、通信提供方法、ならびに、プログラムを提供することを目的とする。
【０００９】
【課題を解決するための手段】
以上の目的を達成するため、本発明の原理にしたがって、下記の発明を開示する。
【００１０】
本発明の第１の観点に係る無線通信端末は、放送型ダウンロードと、通信型ダウンロードと、が可能な無線通信端末であって、記憶部と、第１の可変回路部と第２の可変回路部とを含む複数の可変回路部と、指示入力受付部と、選択部と、開始部と、を備え、以下のように構成する。
【００１１】
すなわち、記憶部は、回路構成データと、パラメータと、を不揮発に記憶する。
【００１２】
一方、複数の可変回路部は、それぞれ、記憶された回路構成データにより可変に電子回路を構成し、当該構成された電子回路が記憶されたパラメータを受け付けることにより、これらに対応付けられた通信方式に対応するディジタル信号処理を並行して行う。
【００１３】
さらに、第１の可変回路部は、記憶された回路構成データのうち放送型ダウンロードに用いる通信方式に対応するものにより構成され、記憶されたパラメータのうち放送型ダウンロードに用いる通信方式に対応するものを受け付ける。
【００１４】
そして、第２の可変回路部は、記憶された回路構成データのうち通信型ダウンロードに用いる通信方式に対応するものにより構成され、記憶されたパラメータのうち通信型ダウンロードに用いる通信方式に対応するものを受け付ける。
【００１５】
一方、指示入力受付部は、新たにパラメータのみ、もしくは、回路構成データおよびパラメータをダウンロードすべき通信方式の種類を指定する種類入力を受け付ける。
【００１６】
さらに、受け付けられた種類入力に新たにパラメータのみをダウンロードすべき旨が指定されている場合、指示入力受付部は、放送型ダウンロードと通信型ダウンロードとのいずれを用いるべきかを指定するダウンロード型入力をさらに受け付ける。
【００１７】
そして、受け付けられた種類入力にパラメータのみをダウンロードすべき旨が指定され、受け付けられたダウンロード型入力に放送型ダウンロードを用いるべき旨が指定されている場合、第１の可変回路部は、第１の基地局から放送されるパラメータを無線受信によりダウンロードして、記憶部に不揮発に記憶する。
【００１８】
一方、受け付けられた種類入力に新たに回路構成データおよびパラメータをダウンロードすべき旨が指定されている場合、第２の可変回路部は、無線通信により、当該回路構成データおよびパラメータを第２の基地局に要求しこれらをダウンロードして、記憶部に不揮発に記憶する。
【００１９】
さらに、受け付けられた種類入力にパラメータのみをダウンロードすべき旨が指定され、受け付けられたダウンロード型入力に通信型ダウンロードを用いるべき旨が指定されている場合、第２の可変回路部は、無線通信により、パラメータを第２の基地局に要求しこれをダウンロードして、記憶部に不揮発に記憶する。
【００２０】
そして、指示入力受付部は、同時運用すべき複数の通信方式の種類を指定する同時運用入力をさらに受け付ける。
【００２１】
一方、選択部は、記憶部に記憶されたパラメータのうち、受け付けられた同時運用入力に指定された複数の通信方式の種類に対応するものを取得し、そのそれぞれについて、当該パラメータを与えれば当該通信方式の種類に対応するディジタル信号処理を行うことができる可変回路部を、複数の可変回路部のいずれかから重複なく選択する。
【００２２】
さらに、開始部は、取得されたパラメータをこれに対応して選択された可変回路部に与えて、複数の可変回路部のディジタル信号処理を並行して開始させる。
【００２３】
また、本発明の無線通信端末において、当該放送型ダウンロードに用いる通信方式は、ＤＡＲＣ方式によるＦＭ文字多重放送通信方式であり、当該通信型ダウンロードに用いる通信方式は、ＤＳＲＣ方式であるように構成することができる。
【００２４】
また、本発明の無線通信端末は、以下のように構成することができる。
【００２５】
すなわち、開始部により、第１の可変回路部において、放送型ダウンロードに用いる通信方式と異なる通信方式に対応するディジタル信号処理が開始され、その後に、放送型ダウンロードを用いてパラメータのみをダウンロードする場合、第１の可変回路部は、記憶されたパラメータのうち放送型ダウンロードに用いる通信方式に対応するものを受け付けた後に、放送されるパラメータを無線受信によりダウンロードする。
【００２６】
また、本発明の無線通信端末は、以下のように構成することができる。
【００２７】
すなわち、開始部により、第２の可変回路部において、通信型ダウンロードに用いる通信方式と異なる通信方式に対応するディジタル信号処理が開始され、その後に、通信型ダウンロードを用いてパラメータのみ、もしくは、回路構成データおよびパラメータをダウンロードする場合、第２の可変回路部は、記憶されたパラメータのうち放送型ダウンロードに用いる通信方式に対応するものを受け付けた後に、無線通信によりパラメータのみ、もしくは、回路構成データおよびパラメータを要求してダウンロードする。
【００２８】
また、本発明の無線通信端末において、記憶されるパラメータは、それぞれの通信方式に対応して、以下のいずれか少なくとも１つを含むように構成することができる。
システムクロック周波数、
変調方式の種類を示すパラメータ、
波形整形フィルタの係数、
局部発信周波数、
データクロック周波数、
ループフィルタ係数、および、
復調の閾値レベル係数。
【００２９】
また、本発明の無線通信端末において、複数の可変回路部は、当該パラメータを受け付けて、以下のいずれかの通信方式に対応するディジタル信号処理を行うように構成することができる。
ＢＰＳＫ（Binary Phase Shift Keying）、
ＱＰＳＫ（Quadrature Phase Shift Keying）、
ＧＭＳＫ（Gaussian filtered Minimum Shift Keying）、
ＡＳＫ（Amplitude Shift Keying）、および、
π／４ＱＰＳＫ。
【００３０】
また、本発明の無線通信端末において、複数の可変回路部は、ＦＰＧＡ（Field Programmable Gate Array）および／またはＤＳＰ（Digital Signal Processor）により可変に電子回路を構成するように構成することができる。
【００３１】
本発明のその他の観点に係る放送提供装置は、回路構成データにより可変に電子回路を構成し、当該構成された電子回路が記憶されたパラメータを受け付けることにより、これらに対応付けられた通信方式に対応するディジタル信号処理を行う無線通信端末へ、当該パラメータを放送して提供し、変換部と、放送部と、を備え、以下のように構成する。
【００３２】
すなわち、変換部は、当該パラメータを、所定のフォーマットに変換する。
【００３３】
一方、放送部は、変換された所定のフォーマットのパラメータを、無線により放送する。
【００３４】
また、本発明の放送提供装置において、放送部は、ＤＡＲＣ方式を用いたＦＭ文字多重放送による無線により放送するように構成することができる。
【００３５】
また、本発明の放送提供装置において、変換部は、当該パラメータをビット列で表現し、当該ビット列に終了識別データを付加し、その結果のビット列長が２８８の倍数となるようにダミービットを必要なだけに付加し、その結果を２８８ビットごとに区切った複数のデータブロックを構成し、当該複数のデータブロックのそれぞれを、当該無線により放送するフォーマットにさらに変換するように構成することができる。
【００３６】
また、本発明の放送提供装置において、変換部は、当該複数のデータブロックのそれぞれをさらに複数のサブデータブロックに分割し、当該サブデータブロックのそれぞれに、識別符号データとヘッダデータとＣＲＣデータとを付加して４１２ビット長のパケットを構成し、当該構成されたパケットのそれぞれを、当該無線により放送するフォーマットにさらに変換するように構成することができる。
【００３７】
本発明の他の観点に係る通信提供装置は、回路構成データにより可変に電子回路を構成し、当該構成された電子回路が記憶されたパラメータを受け付けることにより、これらに対応付けられた通信方式に対応するディジタル信号処理を行う無線通信端末へ、当該パラメータ、または、当該パラメータおよび回路構成データを通信して提供し、変換部と、要求受付部と、送信部と、を備え、以下のように構成する。
【００３８】
すなわち、変換部は、当該パラメータ、または、当該パラメータおよび回路構成データを、所定のフォーマットに変換する。
【００３９】
一方、要求受付部は、当該無線通信端末から無線通信により要求を受け付ける。
【００４０】
さらに、送信部は、受け付けられた要求に指定されたパラメータ、または、パラメータおよび回路構成データであって、所定のフォーマットに変換されたものを、無線通信により送信する。
【００４１】
また、本発明の放送提供装置において、送信部は、ＡＲＩＢ  ＳＴＤ−Ｔ７５により標準化されたＤＳＲＣ方式を用いた無線通信により送信するように構成することができる。
【００４２】
また、本発明の放送提供装置において、変換部は、当該パラメータ、または、当該パラメータおよび回路構成データをビット列で表現し、当該ビット列に終了識別データを付加し、その結果のビット列長が６４０の倍数となるようにダミービットを必要なだけに付加し、その結果を６４０ビットごとに区切った複数のデータブロックを構成し、当該複数のデータブロックのそれぞれを、当該無線通信により送信するフォーマットにさらに変換するように構成することができる。
【００４３】
また、本発明の放送提供装置において、変換部は、当該複数のデータブロックのそれぞれに対して、プリアンブルデータと、ユニークワードと、モジュール識別データと、モジュール識別ワードと、パケット総数を示すデータと、パケットの番号と、ＣＲＣデータとを付加して８００ビット長のパケットを構成し、当該構成されたパケットのそれぞれを、当該無線により放送するフォーマットにさらに変換するように構成することができる。
【００４４】
本発明の他の観点に係る無線通信方法は、放送型ダウンロードと、通信型ダウンロードと、のいずれかを行い、回路構成データと、パラメータと、を不揮発に記憶する記憶部と、記憶された回路構成データにより可変に電子回路を構成し、当該構成された電子回路が記憶されたパラメータを受け付けることにより、これらに対応付けられた通信方式に対応するディジタル信号処理を並行して行う可変回路部と、を用い、指示入力受付工程と、選択工程と、放送型ダウンロード工程と、通信型ダウンロード工程と、を備え、以下のように構成する。
【００４５】
すなわち、指示入力受付工程では、新たにパラメータのみ、もしくは、回路構成データおよびパラメータをダウンロードすべき通信方式の種類を指定する種類入力を受け付ける。
【００４６】
一方、受け付けられた種類入力に新たにパラメータのみをダウンロードすべき旨が指定されている場合、指示入力受付工程では、放送型ダウンロードと通信型ダウンロードとのいずれを用いるべきかを指定するダウンロード型入力をさらに受け付ける。
【００４７】
さらに、放送型ダウンロード工程では、受け付けられた種類入力にパラメータのみをダウンロードすべき旨が指定され、受け付けられたダウンロード型入力に放送型ダウンロードを用いるべき旨が指定されている場合、可変回路部が記憶された回路構成データのうち放送型ダウンロードに用いる通信方式に対応するものにより構成され、記憶されたパラメータのうち放送型ダウンロードに用いる通信方式に対応するものを受け付けていれば、可変回路部に、パラメータを無線受信によりダウンロードさせ、記憶部に不揮発に記憶させる。
【００４８】
そして、通信型ダウンロード工程では、受け付けられた種類入力に新たに回路構成データおよびパラメータをダウンロードすべき旨が指定されている場合、可変回路部が、記憶された回路構成データのうち通信型ダウンロードに用いる通信方式に対応するものにより構成され、記憶されたパラメータのうち通信型ダウンロードに用いる通信方式に対応するものを受け付けていれば、可変回路部に、無線通信により、当該回路構成データおよびパラメータを要求させ、これらをダウンロードさせ、記憶部に不揮発に記憶させる。
【００４９】
一方、通信型ダウンロード工程では、受け付けられた種類入力にパラメータのみをダウンロードすべき旨が指定され、受け付けられたダウンロード型入力に通信型ダウンロードを用いるべき旨が指定されている場合、可変回路部が、記憶された回路構成データのうち通信型ダウンロードに用いる通信方式に対応するものにより構成され、記憶されたパラメータのうち通信型ダウンロードに用いる通信方式に対応するものを受け付けていれば、可変回路部に、無線通信により、当該パラメータを要求させ、これをダウンロードさせ、記憶部に不揮発に記憶させる。
【００５０】
また、本発明の無線通信方法において、当該放送型ダウンロードに用いる通信方式は、ＤＡＲＣ方式によるＦＭ文字多重放送通信方式であり、当該通信型ダウンロードに用いる通信方式は、ＤＳＲＣ方式であるように構成することができる。
【００５１】
また、本発明の無線通信方法において、放送型ダウンロードを用いてパラメータのみをダウンロードする場合、可変回路部が記憶された回路構成データのうち放送型ダウンロードに用いる通信方式に対応するものにより構成されていなければ、当該対応する回路構成データにより電子回路を再構成させ、記憶されたパラメータのうち放送型ダウンロードに用いる通信方式に対応するものを受け付けていなければ、当該対応するパラメータを受け付けさせ、その後に、受け付けた後に、放送されるパラメータを無線受信によりダウンロードさせるように構成することができる。
【００５２】
また、本発明の無線通信方法において、可変回路部において、通信型ダウンロードを用いてパラメータのみ、もしくは、回路構成データおよびパラメータをダウンロードする場合、可変回路部が記憶された回路構成データのうち通信型ダウンロードに用いる通信方式に対応するものにより構成されていなければ、当該対応する回路構成データにより電子回路を再構成させ、記憶されたパラメータのうち通信型ダウンロードに用いる通信方式に対応するものを受け付けていなければ、当該対応するパラメータを受け付けさせ、その後に、無線通信によりパラメータのみ、もしくは、回路構成データおよびパラメータを要求させてダウンロードさせるように構成することができる。
【００５３】
本発明の他の観点に係る放送提供方法は、回路構成データにより可変に電子回路を構成し、当該構成された電子回路が記憶されたパラメータを受け付けることにより、これらに対応付けられた通信方式に対応するディジタル信号処理を行う無線通信端末へ、当該パラメータを放送して提供し、変換工程と、放送工程と、を備え、以下のように構成する。
【００５４】
すなわち、変換工程では、当該パラメータを、所定のフォーマットに変換する。
【００５５】
一方、放送工程では、変換された所定のフォーマットのパラメータを、無線により放送する。
【００５６】
本発明の他の観点に係る通信提供方法は、回路構成データにより可変に電子回路を構成し、当該構成された電子回路が記憶されたパラメータを受け付けることにより、これらに対応付けられた通信方式に対応するディジタル信号処理を行う無線通信端末へ、当該パラメータ、または、当該パラメータおよび回路構成データを通信して提供し、変換工程と、要求受付工程と、送信工程と、を備え、以下のように構成する。
【００５７】
すなわち、変換工程では、当該パラメータ、または、当該パラメータおよび回路構成データを、所定のフォーマットに変換する。
【００５８】
一方、要求受付工程では、当該無線通信端末から無線通信により要求を受け付ける。
【００５９】
さらに、送信工程では、受け付けられた要求に指定されたパラメータ、または、パラメータおよび回路構成データであって、所定のフォーマットに変換されたものを、無線通信により送信する。
【００６０】
なお、上記無線通信方法、放送提供方法、通信提供方法においては、上記無線通信装置、放送提供装置、通信提供装置で用いられるのと同じ回線、同じデータフォーマット、同じパケットフォーマットを採用することができ、パラメータの種類や実現される通信方式の種類も同様のものを採用することができる。
【００６１】
本発明の他の観点に係るプログラムは、あらかじめ記憶された回路構成データにより可変に電子回路を構成し、当該構成された電子回路があらかじめ記憶されたパラメータを受け付けることにより、これらに対応付けられた通信方式に対応するディジタル信号処理を行う可変回路部を有するコンピュータを、上記の無線通信端末として機能させるように構成する。
【００６２】
本発明の他の観点に係るプログラムは、無線放送が可能なコンピュータを、上記の放送提供装置として機能させるように構成する。
【００６３】
本発明の他の観点に係るプログラムは、無線通信が可能なコンピュータを、上記の通信提供装置として機能させるように構成する。
【００６４】
当該プログラムは、コンパクトディスク、フレキシブルディスク、ハードディスク、光磁気ディスク、ディジタルビデオディスク、磁気テープ、半導体メモリ等のコンピュータ読取可能な情報記録媒体に記録することができる。
【００６５】
上記プログラムは、当該プログラムが実行される無線通信端末とは独立して、コンピュータ通信網を介して配布・販売することができる。また、上記情報記録媒体は、当該無線通信端末とは独立して配布・販売することができる。すなわち、「放送や通信によって直接無線通信端末に与える」のではない形態で、配布・販売が可能である。
【００６６】
【発明の実施の形態】
以下に本発明の実施形態を説明する。なお、以下に説明する実施形態は説明のためのものであり、本願発明の範囲を制限するものではない。したがって、当業者であればこれらの各要素もしくは全要素をこれと均等なものに置換した実施形態を採用することが可能であるが、これらの実施形態も本願発明の範囲に含まれる。
【００６７】
（発明の実施の形態）
図１は、本発明の実施形態に係る無線通信端末の概要構成を示す模式図である。以下、本図を参照して説明する。
【００６８】
無線通信端末１０１は、記憶部１０２と、複数の可変回路部１０３と、指示入力受付部１０４と、選択部１０５と、開始部１０６と、を備える。
【００６９】
ここで、記憶部１０２は、回路構成データと、パラメータと、を不揮発に記憶する。たとえば、ＥＥＰＲＯＭ（Electrically Erasable Programmable Read Only Memory）やハードディスクなどを用いる。
【００７０】
一方、複数の可変回路部１０３は、それぞれ、記憶部１０２に記憶された回路構成データにより可変に電子回路を構成し、当該構成された電子回路が記憶されたパラメータを受け付けることにより、所定の通信方式に対応するディジタル信号処理を並行して行う。
【００７１】
したがって、可変回路部１０３のそれぞれは、ＦＰＧＡやＤＳＰ等により構成されることとなる。ディジタル信号処理を並行して行うことにより、複数の通信方式が提供するサービスを同時に亨受することができるようになる。
【００７２】
なお、複数の可変回路部１０３は、複数のＦＰＧＡを利用してもよいが、ゲート数が十分にある場合は１つのＦＰＧＡを複数のブロックに分割して、これらのそれぞれを可変回路部１０３として機能させてもよい。ＤＳＰでも同様である。
【００７３】
ここで、第１の可変回路部１０３は、記憶された回路構成データのうち放送型ダウンロードに用いる通信方式に対応するものにより構成され、記憶されたパラメータのうち放送型ダウンロードに用いる通信方式に対応するものを受け付ける。
【００７４】
本実施形態では、放送型ダウンロードの通信方式として、ＦＭ文字多重放送通信方式を利用したＶＩＣＳを用いる。
【００７５】
一方、第２の可変回路部１０３は、記憶された回路構成データのうち通信型ダウンロードに用いる通信方式に対応するものにより構成され、記憶されたパラメータのうち通信型ダウンロードに用いる通信方式に対応するものを受け付ける。
【００７６】
本実施形態では、通信型ダウンロードの通信方式として、ＤＳＲＣ方式を用いる。本実施形態ではＤＳＲＣ方式としてＡＳＫを利用した通信方式を採用する。これはＥＴＣで用いられるのと同じである。したがって、本実施形態において、ＤＳＲＣ回線のかわりにＥＴＣ回線を用いても良い。
【００７７】
一方、指示入力受付部１０４は、ユーザから、新たにパラメータのみ、もしくは、回路構成データおよびパラメータをダウンロードすべき通信方式の種類を指定する種類入力を受け付ける。
【００７８】
無線通信端末１０１の記憶部１０２には、あらかじめ種々の通信方式に対応する回路構成データが記憶されているため、回路構成データおよびパラメータをすべてダウンロードするフルダウンロードを実行しなければならないのは稀である。頻繁に利用されるのは、パラメータのみのダウンロードと考えられる。なお、後述するように、本実施形態では、フルダウンロードでダウンロードすべき情報のサイズは、パラメータのみのダウンロードの場合のおよそ１０００倍〜２０００倍である。
【００７９】
そして、受け付けられた種類入力に新たにパラメータのみをダウンロードすべき旨が指定されている場合、指示入力受付部１０４は、放送型ダウンロードと通信型ダウンロードとのいずれを用いるべきかを指定するダウンロード型入力をさらに受け付ける。
【００８０】
一般に、放送型ダウンロードは通信型ダウンロードよりも通信速度が遅い。たとえば、本実施形態においては、ＶＩＣＳ（放送型ダウンロード）の伝送速度は１６ｋｂｐｓであるのに対し、ＤＳＲＣ（通信型ダウンロード）の伝送速度は１.０２４Ｍｂｐｓである。したがって、フルダウンロードをする場合は、通信型ダウンロードのみが利用できるようにするのである。パラメータのみのダウンロードの場合は、遅いＶＩＣＳであっても数秒で伝送が終了するため、放送型、通信型のいずれをも利用できる。
【００８１】
そして、受け付けられた種類入力にパラメータのみをダウンロードすべき旨が指定され、受け付けられたダウンロード型入力に放送型ダウンロードを用いるべき旨が指定されている場合、第１の可変回路部１０３は、第１の基地局から放送されるパラメータを無線受信によりダウンロードして、記憶部１０２に不揮発に記憶する。
【００８２】
一方、受け付けられた種類入力に新たに回路構成データおよびパラメータをダウンロードすべき旨が指定されている場合、第２の可変回路部１０３は、無線通信により、当該回路構成データおよびパラメータを第２の基地局に要求しこれらをダウンロードして、記憶部１０２に不揮発に記憶する。
【００８３】
さらに、受け付けられた種類入力にパラメータのみをダウンロードすべき旨が指定され、受け付けられたダウンロード型入力に通信型ダウンロードを用いるべき旨が指定されている場合、第２の可変回路部１０３は、無線通信により、パラメータを第２の基地局に要求しこれをダウンロードして、記憶部１０２に不揮発に記憶する。
【００８４】
このように、ＶＩＣＳ回線やＤＳＲＣ回線を用いて、パラメータのダウンロードやフルダウンロードが実行される。
【００８５】
そして、指示入力受付部１０４は、同時運用すべき複数の通信方式の種類を指定する同時運用入力をさらに受け付ける。これは、ダウンロードが終了した後に、ユーザが同時運用したいサービスを選択するものである。
【００８６】
さらに、選択部１０５は、記憶部１０２に記憶されたパラメータのうち、受け付けられた同時運用入力に指定された複数の通信方式の種類に対応するものを取得し、そのそれぞれについて、当該パラメータを与えれば当該通信方式の種類に対応するディジタル信号処理を行うことができる可変回路部１０３を、複数の可変回路部１０３のいずれかから重複なく選択する。ここで選択される可変回路部１０３は、ダウンロードに用いた第１の回路部１０３や第２の回路部１０３であってもよい。
【００８７】
最後に、開始部１０６は、取得されたパラメータをこれに対応して選択された可変回路部１０３に与えて、複数の可変回路部１０３のディジタル信号処理を並行して開始させる。これにより、新たな通信方式によるサービスであってもそのサービスを受けることができ、しかも、複数のサービスの同時運用が可能となる。
【００８８】
なお、一旦このように同時運用が開始され、第１の可変回路部１０３において、放送型ダウンロードに用いる通信方式と異なる通信方式に対応するディジタル信号処理が開始され、その後に、放送型ダウンロードを用いてパラメータのみをダウンロードする場合は、第１の可変回路部１０３は、記憶されたパラメータのうち放送型ダウンロードに用いる通信方式に対応するものを受け付けた後に、放送されるパラメータを無線受信によりダウンロードする必要がある。
【００８９】
同様に、第２の可変回路部１０３において、通信型ダウンロードに用いる通信方式と異なる通信方式に対応するディジタル信号処理が開始され、その後に、通信型ダウンロードを用いてパラメータのみ、もしくは、回路構成データおよびパラメータをダウンロードする場合も、第２の可変回路部１０３は、記憶されたパラメータのうち放送型ダウンロードに用いる通信方式に対応するものを受け付けた後に、無線通信によりパラメータのみ、もしくは、回路構成データおよびパラメータを要求してダウンロードしなければならない。
【００９０】
本実施形態では、上述したように、複数の可変回路部１０３は、ＦＰＧＡにより可変に電子回路を構成する。また、記憶されるパラメータは、それぞれの通信方式に対応して、システムクロック周波数、変調方式の種類を示すパラメータ、送受信に用いる波形整形フィルタの係数、直交変調器・復調器の局部発信周波数、データクロック周波数（シンボルレート、ビットレート）、クロック再生の際に用いるループフィルタ係数、および、データ復調のための閾値レベル係数である。
【００９１】
これらのパラメータを受け付けることにより、同じ回路構成データにより電子回路を構成した場合であっても、可変回路部１０３は、ＢＰＳＫ、ＱＰＳＫ、ＧＭＳＫ、ＡＳＫ、π／４ＱＰＳＫといった通信方式に対応するディジタル信号処理を行うことが可能となる。これらの通信方式は、シンボルレートやフィルタの形状などの上記のパラメータは異なるが、無線通信端末が行うべき処理「フィルタをかける」「フレームを構成する」「所定の位相・振幅を入力信号に合わせて変調する」等は基本的にほぼ同じだからである。
【００９２】
したがって、上記のようなパラメータを差分情報として提供すれば、多くの場合は十分であり、フルダウンロードの必要な状況は少ない。なお、本実施形態では対応していないが、ＰＤＣ（Personal Digital Cellular system）ＰＨＳ（Personal Handyphone System）やＧＳＭ（Global System for Mobile communication）等で用いられる通信方式も、回路構成データとパラメータを用意することにより、本無線通信端末１０１で利用することは容易である。
【００９３】
図２は、本実施形態の無線通信端末の詳細な構成を示す模式図である。以下、本図を参照して説明する。
【００９４】
無線通信端末１０１は、可変回路部１０３として２つのＦＰＧＡ  ２０１とＦＰＧＡ  ２３１とを用いている。
【００９５】
ＦＰＧＡ  ２０１には、通信型ダウンロードとＥＴＣ／ＤＳＲＣ通信のためのディジタル信号処理回路２０２が構成されている。また、フルダウンロードした場合の回路構成データは、ＦＰＧＡ  ２０１に優先して与えられ、電子回路の回路構成が変更されることとなる。
【００９６】
このほか、ＦＰＧＡ  ２０１には、ＰＣＳＲ（Personal Computer Software Radio）ベースのマルチモード変復調回路２０３が構成されており、制御ＣＰＵ  ２５１によって制御されるクロックジェネレータ２５２からのクロックがこれに与えられている。
【００９７】
ディジタル信号処理回路２０２は、ＥＴＣ用のＲＦ（Radio Frequency）／ＩＦ（Intermediate Frequency）ユニット２０４にインターフェース２０５とＡ／Ｄ（Analog/Digital）コンバータを介して接続されている。さらに、ＥＴＣの各種の処理を行うＥＴＣ処理部２１１と接続されている。
【００９８】
また、マルチモード変復調回路２０３は、バンドパスフィルタ、Ａ／Ｄコンバータを介してＲＸ  ＩＦ信号を受信し、Ｄ／Ａコンバータ、バンドパスフィルタ（ＢＰＦ）を介してＴＸ  ＩＦ信号を送信する。
【００９９】
このようにして、ＦＰＧＡ  ２０１は、以下のサービスに対応することができる。
ＥＴＣ
ＤＳＲＣ
ＢＰＳＫ
ＱＰＳＫ
ＧＭＳＫ
ＡＳＫ
π／４ＱＰＳＫ
通信型ダウンロード
【０１００】
一方、ＦＰＧＡ  ２３１には、
ＦＭ文字多重放送、ＶＩＣＳ、放送型ダウンロードに対応するための復調回路２３２、
ＧＰＳ（Ｄ−ＧＰＳを含む。）に対応するための復調回路２３３、
ＡＭラジオ放送、ＦＭラジオ放送に対応するための復調回路２３４
が電子回路として構成されている。
【０１０１】
外部のアンテナユニット２７２は、ＡＭラジオ放送、ＦＭラジオ放送、ＦＭ文字多重放送、Ｄ−ＧＰＳ、ＶＩＣＳに対応している。
【０１０２】
ＦＭ系のＲＦ／ＩＦユニット２３６は、ＦＭ文字多重放送、Ｄ−ＧＰＳ、ＶＩＣＳを担当し、Ａ／Ｄコンバータを介して、復調回路２３２、復調回路２３３に接続される。
【０１０３】
放送系のＲＦ／ＩＦユニット２３９は、ＡＭラジオ放送、ＦＭラジオ放送を担当し、復調回路２３４に接続される。復調回路２３４は、Ｄ／Ａコンバータとローパスフィルタを介してスピーカ２４２に接続され、放送内容を音声出力する。
【０１０４】
ＧＰＳ用の信号は、インターフェース２７３を介して外部のＲＦ／ＩＦユニット２７１から得られ、この処理は復調回路２３３が行う。
【０１０５】
このようにして、ＦＰＧＡ  ２３１は、以下のサービスに対応することができる。
ＧＰＳ
ＶＩＣＳ
ＡＭラジオ放送
ＦＭラジオ放送
ＦＭ文字多重放送
放送型ダウンロード
【０１０６】
無線通信端末１０１は、制御ＣＰＵ  ２５１によって制御される。制御ＣＰＵ２５１と、ＦＰＧＡ  ２０１、ＦＰＧＡ  ２３１とは、ＣＰＵインターフェース２５３を介して接続されている。また、制御ＣＰＵ  ２５１にはＥＥＰＲＯＭ２５４とＳＲＡＭ（Static Random Access Memory）２５５とハードディスク２５６とが接続されており、これらにパラメータや回路構成データが記憶される。また、制御ＣＰＵ  ２５１は、ネットワークインターフェース２６１を介して他のコンピュータやコンピュータ通信網に接続することができ、これらを介して回路構成データやパラメータを受信することもできる。また、一時的な記憶領域としてメモリ２５９も用いる。
【０１０７】
以下では、各型のダウンロードについて詳細に述べる。
【０１０８】
（放送型ダウンロード）
本実施形態では、放送型ダウンロードに１６ｋｂｐｓの伝送速度を有するＶＩＣＳ回線を用いる。ＶＩＣＳ回線では、ＦＭ文字多重放送のＤＡＲＣ（ＤＡｔａ
Ｒａｄｉｏ  Ｃｈａｎｎｅｌ）方式を用いた通信が行われる。
【０１０９】
本実施形態では、ＤＡＲＣ方式の「階層４」データフォーマットをベースとしている。図３は、放送型ダウンロード用のデータフレームの構成を示す説明図である。以下、本図を参照して説明する。
【０１１０】
データフレームは、２８８ビットを基本データブロック長とする。ダウンロードするデータ（パラメータ）全体は、Ｍ個のブロックにより構成されるが、データ長が２８８ビットの整数倍とは限らないため、最後のデータブロックには、データの終了を示す１６ビットのエンドデータＥＯＤとデータ長を調整するダミービットとが付加される。
【０１１１】
図４は、放送型ダウンロード用のパケットの構成を示す説明図である。以下、本図を参照して説明する。
【０１１２】
データフレームに含まれる２８８ビット長のブロックはそれぞれ、ヘッダ、ＣＲＣ、ガードビットが付加され、ダウンリンクパケットとして伝送される。伝送の効率化を図るため、２８８ビット長のブロックは、まず、１４４ビットごとのサブブロックＡとサブブロックＢとに分割される。そして、各サブブロックに対して、ブロック同期およびフレーム同期用の１６ビットの識別符号ＢＩＣデータと、３２ビットのヘッダデータと、１４ビットのＣＲＣとが付加される。したがって、１つの基本ブロックに対する１つのダウンロードパケットは、４１２ビットということになる。
【０１１３】
放送型ダウンロードでは、基地局は上記のダウンロードパケットを随時放送により繰り返して送信している。無線通信端末１０１は、ＢＩＣデータにより送信パケットのフレーム同期をとり、ヘッダデータから所望のデータか確認をした後、エンドデータを含むダウンロードデータブロックが受信されるまで、ダウンロードを継続する。そして、最後に受信されたパラメータを記憶部１０２に記憶して、ダウンロードを終了する。
【０１１４】
（通信型ダウンロード）
本実施形態では、通信型ダウンロードに１.０２４Ｍｂｐｓの伝送速度を有するＤＳＲＣ回線を利用する。ＤＳＲＣ回線では、データ要求を送信するとデータ応答が返ってくる双方向の通信が行われる。本実施形態では、ＡＲＩＢ  ＳＴＤ−Ｔ５５／ＳＴＤ−Ｔ７５規格におけるＭＤＳ（Message Data Slot）フォーマットをベースとしている。図５は、通信型ダウンロード用のデータフレームの構成を示す説明図である。以下、本図を参照して説明する。
【０１１５】
データフレームは、６４０ビットを基本データブロック長とする。ダウンロードするデータ（パラメータ、もしくは、回路構成データおよびパラメータ）全体は、Ｎ個のブロックにより構成されるが、データ長が６４０ビットの整数倍とは限らないため、最後のデータブロックには、データの終了を示す１６ビットのエンドデータＥＯＤとデータ長を調整するダミービットとが付加される。
【０１１６】
図６は、通信型ダウンロード用のパケットの構成を示す説明図である。以下、本図を参照して説明する。
【０１１７】
データフレームに含まれる６４０ビット長のブロックはそれぞれ、ヘッダ、ＣＲＣ、ガードビットが付加され、ダウンリンクパケットとして伝送される。６４０ビット長のブロックに対して７２ビットのヘッダデータと、１６ビットのＣＲＣと７２ビットのガードビットが付加される。
【０１１８】
ヘッダデータには、プリアンブル１６ビット、ユニークワード（ＵＷ；Unique Word）１６ビット、モジュール識別データ２ビット、モジュール番号データ４ビット、パケット総数１７ビット、パケット番号１７ビットが含まれ、これらの情報により、当該ブロックが何番目のデータかが判明する。
【０１１９】
通信型ダウンロードでは、無線通信端末１０１から上り回線のまず、パラメータ、もしくは、回路構成データおよびパラメータの要求を行う。この要求が通れば、下り回線のＭＤＳメッセージデータスロットを用いてパラメータ、もしくは、回路構成データおよびパラメータがダウンロードされる。また、ダウンロードされたデータに誤りがあった場合には、リトライが実行される。
【０１２０】
（ダウンロード処理）
図７は、ダウンロード処理の流れを示すフローチャートである。以下、本図を参照して説明する。
【０１２１】
ダウンロード処理が開始されると、無線ダウンロード用のメニュー画面が表示され（ステップＳ７０１）、ユーザに入力を促す（ステップＳ７０２）。図８は、このメニュー画面の概要構成を示す説明図である。
【０１２２】
メニュー画面において、ユーザは、放送型（Low speed）か通信型（Hi speed）かを選択することができる。また、通信型を選択した場合には、ＦＰＧＡの電子回路の再構成（コンフィグレーション）を行うか否かを指定することができる。コンフィグレーションを行う場合には、回路構成データとパラメータの両方がダウンロードされ、そうでない場合はパラメータのみがダウンロードされる。また、通信型の場合は、リクエストモジュールを選択することができる。
【０１２３】
ユーザの指示入力が通信型である場合（ステップＳ７０３；通信）、選択したモジュールをリクエストし（ステップＳ７０４）、ダウンロードを開始する。放送型である場合は（ステップＳ７０３；放送）、リクエストは不要である。
【０１２４】
そして、基地局からのデータの受信を試み（ステップＳ７０５）、受信できたか否かを判定する（ステップＳ７０６）。受信できた場合（ステップＳ７０６；Ｙｅｓ）、エラーパケットの有無を調べ（ステップＳ７０７）、ない場合（ステップＳ７０７；なし）、ハードディスク２５６等の記憶部１０２にダウンロードしたパラメータ等を記録し、その通信方式の種類などの情報も記録して（ステップＳ７０８）、本処理を終了する。
【０１２５】
エラーパケットがある場合（ステップＳ７０７；あり）は、再送要求を出し（ステップＳ７０９）、ステップＳ７０５に戻る。
【０１２６】
一方、受信できなかった場合（ステップＳ７０６；Ｎｏ）、通信タイムアウトが生じた旨を報告して（ステップＳ７１０）、本処理を終了する。
【０１２７】
（基地局）
上記のようなフォーマットで、放送ダウンロードや通信ダウンロードを行うには、放送や通信により、パラメータ、または、パラメータと回路構成情報を提供する基地局が必要である。以下、本実施形態に係るこれらの基地局の構成について述べる。
【０１２８】
図９は、放送ダウンロードのための放送基地局の概要構成を示す模式図である。以下、本図を参照して説明する。
【０１２９】
放送基地局９０１は、変換部９０２と、放送部９０３とを備える。
【０１３０】
まず、変換部９０２は、無線通信端末に提供すべきパラメータを、図３、図４に示すフォーマットに変換する。
【０１３１】
一方、放送部９０３は、変換された所定のフォーマットのパラメータを、無線により放送する。
【０１３２】
上記のように、本実施形態では、当該無線放送の際に、ＤＡＲＣ方式を用いたＦＭ文字多重放送を行い、上記のように、ＤＡＲＣ方式に合わせたデータフォーマットを採用している。
【０１３３】
図１０は、通信ダウンロードのための通信基地局の概要構成を示す模式図である。以下、本図を参照して説明する。
【０１３４】
通信基地局９５１は、変換部９５２と、通信部９５３と、送信部９５４と、を備える。
【０１３５】
ここで、変換部９５２は、当該パラメータ、または、当該パラメータおよび回路構成データを、図５、図６に示すフォーマットに変換する。
【０１３６】
一方、通信部９５３は、無線通信端末１０１から無線通信により送信される要求を受け付ける。
【０１３７】
さらに、送信部９５４は、受け付けられた要求に指定されたパラメータ、または、パラメータおよび回路構成データであって、上記のフォーマットに変換されたものを、無線通信により送信する。
【０１３８】
上記のように、本実施形態では、当該通信の際にＡＲＩＢ  ＳＴＤ−Ｔ７５により標準化されたＤＳＲＣ方式を用い、上記のように、これに合わせたデータフォーマットを採用している。
【０１３９】
（その他の実施形態）
上記実施形態では、２つのＦＰＧＡのうち、一方では通信型のサービスに対応する電子回路を構成し、他方では放送型のサービスに対応する電子回路を構成している。これは、通信型サービスと放送型サービスを同時運用する場合には、最も単純な構成である。しかしながら、複数のサービスを交互に運用するだけで十分な場合もありうる。また、塔載できるＦＰＧＡの数や容量の制限から、２種類の電子回路を同時に構成できない場合もある。本実施形態は、このような場合に本発明を適用するためのものである。
【０１４０】
本実施形態では、ＦＰＧＡには、通信型サービス用の電子回路、放送型サービス用の電子回路、あるいは他のサービス用の電子回路などの、いずれかが構成されている。
【０１４１】
無線通信端末１０１において、ユーザからの指示入力を受け付け、ダウンロードを行う旨が指示された場合を考える。
【０１４２】
現在ＦＰＧＡに構成されている電子回路に所定のパラメータを与えることにより、ユーザが指定したダウンロード型（通信型か、放送型か）に対応できる場合は、当該電子回路に当該パラメータを与えた後に、ダウンロードを行う。
【０１４３】
一方、ＦＰＧＡ内の電子回路を再構成しなければならない場合は、当該回路構成データと、当該パラメータと、を記憶部１０２から読み出して、ＦＰＧＡ内に当該電子回路を再構成し、当該パラメータを与えた後に、ダウンロードを行う。
【０１４４】
本発明を適用することにより、少ないゲート数のＦＰＧＡしか塔載していない無線通信端末であっても、種々の回線を用いてパラメータを受信して、種々の通信方式を交互運用することができる。
【０１４５】
なお、本実施形態であっても、たとえば時分割多重や符号分割多重などの多重化技術を用い、多重化された信号の通信方式が異なるものであって、各信号のそれぞれについて、ＦＰＧＡ内の電子回路に適宜パラメータを順次与えることによって、種々の通信方式を同時運用することは可能である。このような態様も、本発明の範囲に含まれる。
【０１４６】
【発明の効果】
以上説明したように、本発明によれば、ＦＭ多重放送を利用したＶＩＣＳ回線や、ＤＳＲＣ回線等を用いてパラメータを受信し、当該パラメータを回路の再構成が可能なＦＰＧＡ等により実現されたディジタル信号処理電子回路に与えて、種々の通信方式を同時運用することを可能にするのに好適な無線通信端末、放送提供装置、通信提供装置、無線通信方法、放送提供方法、通信提供方法、ならびに、プログラムを提供することができる。
【図面の簡単な説明】
【図１】  本発明の実施形態に係る無線通信端末の概要構成を示す模式図である。
【図２】  本実施形態の無線通信端末の詳細な構成を示す模式図である。
【図３】  放送型ダウンロード用のデータフレームの構成を示す説明図である。
【図４】  放送型ダウンロード用のパケットの構成を示す説明図である。
【図５】  通信型ダウンロード用のデータフレームの構成を示す説明図である。
【図６】  通信型ダウンロード用のパケットの構成を示す説明図である。
【図７】  ダウンロード処理の流れを示すフローチャートである。
【図８】  メニュー画面の概要構成を示す説明図である。
【図９】  放送基地局の概要構成を示す模式図である。
【図１０】  通信基地局の概要構成を示す模式図である。
【符号の説明】
１０１  無線通信端末                      １０２  記憶部
１０３  可変回路部                        １０４  指示入力受付部
１０５  選択部                            １０６  開始部
２０１  ＦＰＧＡ
２０２  ディジタル信号処理回路
２０３  マルチモード変復調回路
２０４  ＲＦ／ＩＦユニット                ２０５  インターフェース
２１１  ＥＴＣ処理部                      ２３１  ＦＰＧＡ
２３２  復調回路                          ２３３  復調回路
２３４  復調回路
２３６  ＲＦ／ＩＦユニット
２３９  ＲＦ／ＩＦユニット                ２４２  スピーカ
２５１  制御ＣＰＵ
２５２  クロックジェネレータ
２５３  ＣＰＵインターフェース            ２５４  ＥＥＰＲＯＭ
２５５  ＳＲＡＭ                          ２５６  ハードディスク
２５９  メモリ
２６１  ネットワークインターフェース
２７１  ＲＦ／ＩＦユニット                ２７２  アンテナユニット
２７３  インターフェース                  ９０１  放送基地局
９０２  変換部                            ９０３  放送部
９５１  通信基地局                        ９５２  変換部
９５３  要求受付部                        ９５４  送信部
【図１】
0003677546.tif 000002
【図２】
0003677546.tif 000003
【図３】
0003677546.tif 000004
【図４】
0003677546.tif 000005
【図５】
0003677546.tif 000006
【図６】
0003677546.tif 000007
【図７】
0003677546.tif 000008
【図８】
0003677546.tif 000009
【図９】
0003677546.tif 000010
【図１０】
0003677546.tif 000011